(57)【要約】【課題】  制御基板を縦置きする。制御基板をネジ固定した場合でも制御基板に歪みが発生するのを確実に防止する。組み立て性を良くする。【解決手段】  本体２側に左右一対のスリット縦溝３を設け、本体２内に納装される電子機器の配線手段としての制御基板４に、各スリット縦溝３に対して前後Ｄ・左右Ｃの隙間Ｇ１，Ｇ２をあけた状態で垂直方向Ｂに差し込まれる左右一対の差し込み部５を設けると共に、制御基板４から先端が前方Ｆ又は後方Ｅに向かって開口した凹部７を有する取付片８を突設する。本体２側の上記取付片８の凹部７と対向する位置に上方に開口したネジ孔部９を設ける。制御基板４の各差し込み部５を各スリット縦溝３に垂直方向Ｂに差し込んだ状態で取付ネジ１０を取付片８の凹部７を貫通してネジ孔部９に螺合する。【選択図】        図１
2006002496.tif 000002
【特許請求の範囲】
【請求項１】
本体内に電子機器の配線手段としての制御基板が縦置き状態で納装される温水洗浄便座であって、本体側に左右一対のスリット縦溝を設け、制御基板に上記各スリット縦溝に対して前後左右に隙間をあけた状態で垂直方向に差し込まれる左右一対の差し込み部を設けると共に、制御基板から先端が前方又は後方に向かって開口した凹部を有する取付片を突設し、本体側における上記取付片の凹部と対向する位置に上方に開口したネジ孔部を設けたことを特徴とする温水洗浄便座。
【発明の詳細な説明】
【技術分野】
【０００１】
本発明は、温水洗浄便座に関し、詳しくは本体内に電子機器の配線手段としての制御基板を取り付ける技術に関するものである。
【背景技術】
【０００２】
従来、温水洗浄便座の本体内に納装される電子機器の配線手段としての制御基板は、設計上、本体内のスペースの確保できる部位、例えば本体内の上部に水平向きにして配置されるのが一般的であった（例えば、特許文献１参照）。
【０００３】
ところが特許文献１に示される従来例にあっては、制御基板を本体内の上部に水平向きに配置しているため、制御基板からの放熱が本体内の上部に止まり、制御基板上の素子に悪影響を及ぼす恐れがあり、特に本体内の温水タンク付近の上部に配置した場合にあっては、温水タンクから排出する給水ホースの接続部からの漏水や結露水によって制御基板に水が飛散する可能性があり、また一旦、制御基板上に飛散した水或いはホコリ等は、水平横置きの制御基板上に貯留したままとなり、制御不能に陥ったりする事態も考えられる。さらに従来では、制御基板を水平横置きにする場合は、制御基板の四隅に設けた丸孔状のネジ孔部を本体に設けた４個のネジ孔部に対してネジ固定しており、ネジ止め箇所が４箇所と多く、組み立てに手間がかかるうえに、ネジ孔部と制御基板のネジ孔部との位置の誤差等があると、ネジ止めによって制御基板に歪みが発生する可能性があり、制御基板上の素子に悪影響を及ぼす等の問題がある。そのうえ水平向きの制御基板は本体内での占有面積が大きく、他の部品から見て弊害的部品となり、組み立て性が一層悪くなる問題や、本体内の上部に水平に配置される制御基板は各部品から放熱した熱からの影響を受けやすくなり、放熱効率が一層悪くなるという問題もある。
【０００４】
また、他の従来例として、本体内に制御基板を垂直方向に立設することが知られている（例えば、特許文献２参照）。
【０００５】
ところがこの特許文献２に示される従来例にあっては、制御基板を縦置きするにあたって、制御基板に歪みを生じないようにして取り付けることはできなかった。
【特許文献１】特開２００１−１５２５１２号公報
【特許文献２】特開２００３−２４７２５８号公報
【発明の開示】
【発明が解決しようとする課題】
【０００６】
本発明は上記の従来の問題点に鑑みて発明したものであって、制御基板を縦置きするにあたって、制御基板をネジ固定した場合でも制御基板に歪みが発生するのを防止でき、組み立て性に優れた温水洗浄便座を提供することを課題とするものである。
【課題を解決するための手段】
【０００７】
前記課題を解決するために本発明は、本体２内に電子機器の配線手段としての制御基板４が縦置き状態で納装される温水洗浄便座であって、本体２側に左右一対のスリット縦溝３を設け、制御基板４に上記各スリット縦溝３に対して前後Ｄ・左右Ｃに隙間Ｇ１，Ｇ２をあけた状態で垂直方向Ｂに差し込まれる左右一対の差し込み部５を設けると共に、制御基板４から先端が前方Ｆ又は後方Ｅに向かって開口した凹部７を有する取付片８を突設し、本体２側の上記取付片８の凹部７と対向する位置に上方に開口したネジ孔部９を設けたことを特徴としている。
【０００８】
このような構成とすることで、制御基板４の差し込み部５と本体２側のスリット縦溝３との間の前後Ｄ・左右Ｃの隙間Ｇ１，Ｇ２によって、制御基板４は前後Ｄ・左右Ｃに若干の動きを許容された状態でスリット縦溝３により仮保持された状態となり、たとえ取付片８の凹部７とネジ孔部９とが前後Ｄ若しくは左右Ｃに位置ズレしていても、制御基板４の前後Ｄ・左右Ｃへの動きによってその位置ズレを容易に修正できるようになる。従って、取付ネジ１０を取付片８の凹部７を貫通してネジ孔部９に締結した際に、制御基板４に対して無理な締め付け力がかからなくなり、制御基板４の歪みの発生を効果的に防止できる。また、制御基板４を縦置きにすることで、本体２内における制御基板４の占有面積を削減でき、従って、他の部品から見て制御基板４が弊害的部品とならず、しかも、取付ネジ１０による取付箇所を従来よりも削減できるので、温水洗浄便座１の組み立て性がきわめて良好となる。
【発明の効果】
【０００９】
本発明に係る温水洗浄便座にあっては、制御基板を縦置きするにあたって、制御基板の前後・左右の動きが可能な状態で仮保持し、これにより取付片とネジ孔部との位置ズレを修正できる。従って、取付ネジを取付片の凹部を貫通してネジ孔部に締結する際に、制御基板に対して無理な締め付け力がかからず、制御基板の歪みの発生を効果的に防止できるものである。
【発明を実施するための最良の形態】
【００１０】
以下、本発明を添付図面に示す実施形態に基いて説明する。
【００１１】
本実施形態の温水洗浄便座１は、図３に示すように、便器１１の後部上面側に設置されている。図中の３０は便蓋である。
【００１２】
温水洗浄便座１の本体２のハウジング１２は、便器１１に固定されるベース部１２ａと、ベース部１２ａに被嵌されるカバー部１２ｂとに分割されており、その内部には、図４に示すように、前側に寄せて温水タンク１３が納装されている。この温水タンク１３には便器１１内部への捨て水、並びに、ビデ洗浄・おしり洗浄用の水を排出する排出部１４等を有している。
【００１３】
また上記温水タンク１３の後方Ｅには、本体２内の最後部側に寄せて、電子機器の配線手段としての制御基板４が縦置きで配置されている。制御基板４は例えば、プリント配線基板からなる。本例では図１、図２に示すように、制御基板４の外周枠１５の上半部の幅寸法Ｈ１が下半部の幅寸法Ｈ２よりも幅広（Ｈ１＞Ｈ２）とされ、本体２への外周枠１５の設置面積を小さくしながら、制御基板４全体の有効面積を大きく確保できるようにしている。
【００１４】
上記制御基板４の外周枠１５の下半部の両側端部には、それぞれ、縦方向に長い差し込み部５が設けられている。差し込み部５は、図２（ｂ）に示すように、先端に幅広の抜け止め片５ａを有する平面視Ｔ字状に形成されている。
【００１５】
一方、本体２側の底面からは左右一対のリブ６，６が立設されている。各リブ６，６にはそれぞれスリット縦溝３が形成されている。ここで、上記制御基板４の差し込み部５とスリット縦溝３との間には所定の隙間（図２（ｂ）の前後Ｄの隙間Ｇ１、左右Ｃの隙間Ｇ２）が生じるように、スリット縦溝３の幅を差し込み部５よりも若干幅広にしてある。さらに本例のスリット縦溝３は、図１に示すように、その上端部から下端部にいくほど開口幅が徐々に狭くなる略Ｖ字溝状に形成されている。そして、差し込み部５をスリット縦溝３に差し込んだ状態では、差し込み部５の抜け止め片５ａがリブ６の外側に配置されることで、差し込み部５がスリット縦溝３から外れない状態となり、且つこの状態でスリット縦溝３と差し込み部５との間の隙間Ｇ１，Ｇ２（図２（ｂ））によって、少なくとも制御基板４の上半部は前後方向Ｄ及び左右方向Ｃ（以下、「前後Ｄ・左右Ｃ」という。）にそれぞれ若干動くことが可能な状態で、仮保持されるようになっている。
【００１６】
また、上記制御基板４の外周枠１５の上半部の両側端部からは、それぞれ、左右１組の取付片８が突設されている。本例では図１の左側の取付片８の先端には、後方Ｅに向かって開口した略Ｕ字状の凹部７が形成されており、図１の右側の取付片８の先端には、前方Ｆに向かって開口した略Ｕ字状の凹部７が形成されている。さらに各凹部７は前後Ｄに長く形成されており、凹部７と本体２側のネジ孔部９との前後Ｄの位置ズレを吸収できるようになっている。なお、凹部７と本体２側のネジ孔部９との前後Ｄの位置ズレは、制御基板４の前後Ｄの動きによっても吸収されるので、凹部７を必ずしも前後Ｄに長く形成する必要はなく、例えば短いＣ字状であってもよい。要するに、凹部７は前方Ｆ又は後方Ｅに開口した丸孔以外の開口形状であればよい。
【００１７】
また、上記左右一対のスリット縦溝３の近傍には、左右一対のボス１６，１６が立設されており、各ボス１６の上端面に、上方に開口した雌ネジ状のネジ孔部９が形成されている。各ネジ孔部９は制御基板４の取付片８の凹部７と対向する位置に形成されている。
【００１８】
しかして、制御基板４を縦置きするにあたっては、図１→図２に示すように、制御基板４の左右Ｃの差し込み部５を本体２側の左右Ｃのスリット縦溝３に対して垂直方向Ｂに差し込む。このときスリット縦溝３と差し込み部５との間に前後Ｄ・左右Ｃの隙間Ｇ１，Ｇ２が確保されることで、制御基板４はスリット縦溝３に対して前後Ｄ・左右Ｃに若干の動きを許容された状態となり、この状態で、取付ネジ１０を取付片８の凹部７を貫通してネジ孔部９に締結する。これにより、凹部７がネジ孔部９に対して前後Ｄ・左右Ｃに位置ズレしていても、制御基板４の前後Ｄ・左右Ｃへの動きによって、その位置ズレを修正できるようになる。従って、スリット縦溝３と差し込み部５との間の隙間Ｇ１，Ｇ２を利用して、ネジ孔部９と凹部７との前後Ｄ・左右Ｃの誤差を吸収できるので、制御基板４に対して無理な締め付け力がかからなくなり、制御基板４の歪みの発生を効果的に防止しながら、制御基板４を確実に固定可能となる。
【００１９】
しかも、制御基板４を縦置きにすることで、本体２内における制御基板４の占有面積を削減でき、従って、他の部品から見て制御基板４が弊害的部品とならず、温水洗浄便座１の組み立て性がきわめて良好となる。
【００２０】
また本例では、本体２の左右一対のスリット縦溝３と、２個の取付ネジ１０とによって、制御基板４を簡素かつ一定の強度で固定可能となるので、取付ネジ１０による取付箇所が２箇所で済み、これにより従来の４箇所をネジ止めする場合と比較して、ネジ止め箇所を削減でき、組み立て効率を一層向上させることができる。
【００２１】
さらに本例では、スリット縦溝３は略Ｖ字溝状に形成されているため、差し込み部５をスリット縦溝３に差し込んだ状態では、制御基板４の下半部の前後Ｄの動きがスリット縦溝３の下部によって止められた状態となるため、取付ネジ１０は制御基板４の上半部の動きのみを拘束すればよくなり、取付ネジ１０による制御基板４の拘束箇所を減らすことができる。従って、本例のように制御基板４の左右２箇所を取付ネジ１０で拘束する場合に限らず、取付ネジ１０は１個でも可能である。この場合、制御基板４から突設する取付片８の数を１つ減らすことができ、制御基板４の構成をより簡素化できるものとなる。
【００２２】
また本例では、本体２内の前側に寄せて温水タンク１３を配設し、温水タンク１３の後方Ｅに制御基板４を縦置きで配置しているので、制御基板４が温水タンク１３の出湯側と反対側に位置するようになり、制御基板４の放熱効率を良くできると共に、温水タンク１３から排出する給水ホースの接続部からの漏水や結露水によって制御基板４に水が飛散する可能性もなくなる。また万が一、制御基板４上に水か飛散した場合でも、縦置きの制御基板４の上面から水が速やかに流れ落ちて制御基板４上に貯留することを防止できる。つまり、制御基板４の縦置きによって、制御基板４上に水分やホコリが付着しにくくなり、制御基板４の防水・放熱効果が一層高められるものである。
【図面の簡単な説明】
【００２３】
【図１】本発明の一実施形態の要部斜視図である。
【図２】（ａ）は同上の制御基板をスリット縦溝に差し込んだ状態の説明図、（ｂ）は（ａ）のＡ―Ａ線断面図である。
【図３】同上の制御基板が納装される温水洗浄便座の使用状態の説明図である。
【図４】同上の本体内の斜視図である。
【符号の説明】
【００２４】
１  温水洗浄便座
２  本体
３  スリット縦溝
４  制御基板
５  差し込み部
７  凹部
８  取付片
９  ネジ孔部
Ｂ  垂直方向
Ｃ  左右方向
Ｄ  前後方向
Ｅ  後方
Ｆ  前方
Ｇ１，Ｇ２  隙間
【図１】
2006002496.tif 000003
【図２】
2006002496.tif 000004
【図３】
2006002496.tif 000005
【図４】
2006002496.tif 000006